【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
複数の媒体アクセス制御（ＭＡＣ）インスタンスを使用して動作するためのワイヤレス送受信ユニット（ＷＴＲＵ）のための方法であって、
前記ＷＴＲＵが、第１のＭＡＣインスタンスを介して無線リソース制御（ＲＲＣ）接続を確立するステップと、
前記ＷＴＲＵが、前記第１のＭＡＣインスタンスを介してＲＲＣ接続再構成メッセージを受信するステップであって、前記ＲＲＣ接続再構成メッセージは、前記ＲＲＣ接続の第２のＭＡＣインスタンスに関連付けられた１つまたは複数のセルを前記ＷＴＲＵが追加または修正するための構成を備え、前記第１のＭＡＣインスタンスおよび前記第２のＭＡＣインスタンスの各々は、共通のタイプの無線インターフェースに適用されるための別々の物理レイヤ構成に関連付けられ、前記ＲＲＣ接続についての各シグナリング無線ベアラ（ＳＲＢ）は、前記第１のＭＡＣインスタンスにマッピングされ、前記ＲＲＣ接続再構成メッセージは、少なくとも１つのデータ無線ベアラ（ＤＲＢ）が前記第２のＭＡＣインスタンス上での使用のために構成されたことを示す、ステップと、
前記ＷＴＲＵが、前記第２のＭＡＣインスタンスをアクティブ化するステップと、
前記ＷＴＲＵが、前記第２のＭＡＣインスタンスをアクティブ化することに基づいて、前記第２のＭＡＣインスタンスに関連付けられた前記１つまたは複数のセルのうちの少なくとも１つの制御チャネルを監視するステップと
を備えることを特徴とする方法。
【請求項２】
前記少なくとも１つのＤＲＢは、前記第２のＭＡＣインスタンスを介する使用のために確立された新たなＤＲＢを備えることを特徴とする請求項１に記載の方法。
【請求項３】
前記少なくとも１つのＤＲＢは、前記第１のＭＡＣインスタンスに以前にマッピングされたＤＲＢを備え、前記ＲＲＣ接続再構成メッセージは、前記第１のＭＡＣインスタンスに以前にマッピングされた前記ＤＲＢを前記第２のＭＡＣインスタンスに関連付け始めるように前記ＷＴＲＵをトリガすることを特徴とする請求項１に記載の方法。
【請求項４】
前記再構成メッセージは、前記第２のＭＡＣインスタンスに関連付けられた前記１つまたは複数のセルについての複数の無線リソース管理（ＲＲＭ）構成を備えることを特徴とする請求項１に記載の方法。
【請求項５】
前記共通のタイプの無線インターフェースは、進化型ユニバーサルモバイルテレコミュニケーションシステム（ＵＭＴＳ）地上無線アクセス（Ｅ−ＵＴＲＡ）Ｕｕインターフェースを備えることを特徴とする請求項１に記載の方法。
【請求項６】
前記第１のＭＡＣインスタンスおよび前記第２のＭＡＣインスタンスの各々は、別々の無線リンク制御（ＲＬＣ）エンティティにマッピングされることを特徴とする請求項１に記載の方法。
【請求項７】
前記第１のＭＡＣインスタンスおよび前記第２のＭＡＣインスタンスは、少なくとも１つの共通のパケットデータコンバージェンスプロトコル（ＰＤＣＰ）エンティティを共有することを特徴とする請求項６に記載の方法。
【請求項８】
前記第１のＭＡＣインスタンスおよび前記第２のＭＡＣインスタンスの各々は、それぞれのプライマリセル、および、１つまたは複数のそれぞれのセカンダリセルに関連付けられることを特徴とする請求項１に記載の方法。
【請求項９】
前記ＲＲＣ接続のためのネットワークＲＲＣエンティティは、前記第１のＭＡＣインスタンスに対応するピアエンティティＭＡＣインスタンスを含むサービングサイトに位置することを特徴とする請求項１に記載の方法。
【請求項１０】
前記第２のＭＡＣインスタンスに関連付けられた前記１つまたは複数のセルのうちの少なくとも１つの、１つまたは複数の測定を実行するステップと、
前記第１のＭＡＣインスタンスを介して前記１つまたは複数の測定を報告するステップと
をさらに備えることを特徴とする請求項１に記載の方法。
【請求項１１】
ワイヤレス送受信ユニット（ＷＴＲＵ）であって、
第１のＭＡＣインスタンスを介して無線リソース制御（ＲＲＣ）接続を確立し、
前記第１のＭＡＣインスタンスを介してＲＲＣ接続再構成メッセージを受信し、前記ＲＲＣ接続再構成メッセージは、前記ＲＲＣ接続の第２のＭＡＣインスタンスに関連付けられた１つまたは複数のセルを前記ＷＴＲＵが追加または修正するための構成を備え、前記第１のＭＡＣインスタンスおよび前記第２のＭＡＣインスタンスの各々は、共通のタイプの無線インターフェースに適用されるための別々の物理レイヤ構成に関連付けられ、前記ＲＲＣ接続についての各シグナリング無線ベアラ（ＳＲＢ）は、前記第１のＭＡＣインスタンスにマッピングされ、前記ＲＲＣ接続再構成メッセージは、少なくとも１つのデータ無線ベアラ（ＤＲＢ）が前記第２のＭＡＣインスタンス上での使用のために構成されたことを示し、
前記第２のＭＡＣインスタンスをアクティブ化し、
前記第２のＭＡＣインスタンスをアクティブ化することに基づいて、前記第２のＭＡＣインスタンスに関連付けられた前記１つまたは複数のセルのうちの少なくとも１つの制御チャネルを監視する
ように構成されたプロセッサを備えたことを特徴とするＷＴＲＵ。
【請求項１２】
前記第１のＭＡＣインスタンスおよび前記第２のＭＡＣインスタンスの各々は、前記ＷＴＲＵについての少なくとも１つの共通のパケットデータコンバージェンスプロトコル（ＰＤＣＰ）インスタンスに関連付けられることを特徴とする請求項１１に記載のＷＴＲＵ。
【請求項１３】
前記プロセッサは、前記第１のＭＡＣインスタンスまたは前記第２のＭＡＣインスタンスを介して送信されることになるＰＤＣＰパケットを暗号化するための同一のセキュリティーキーを利用するようにさらに構成されることを特徴とする請求項１２に記載のＷＴＲＵ。
【請求項１４】
前記プロセッサは、前記第１のＭＡＣインスタンスおよび前記第２のＭＡＣインスタンスの各々に対して異なるＢＥＡＲＥＲパラメータを使用するようにさらに構成されることを特徴とする請求項１３に記載のＷＴＲＵ。
【請求項１５】
前記第２のＭＡＣインスタンスに対する送信を暗号化するために使用されるそれぞれのＢＥＡＲＥＲパラメータは、前記第２のＭＡＣインスタンスに関連付けられたレイヤ識別に基づいて決定されることを特徴とする請求項１４に記載のＷＴＲＵ。
【請求項１６】
前記第１のＭＡＣインスタンスは、前記共通のタイプの無線インターフェースの第１の構成を使用して、第１のサービングサイトに関連付けられたセルにアクセスするように構成され、および、前記第２のＭＡＣインスタンスは、前記共通のタイプの無線インターフェースの第２の構成を使用して、第２のサービングサイトに関連付けられたセルにアクセスするように構成されることを特徴とする請求項１１に記載のＷＴＲＵ。
【請求項１７】
前記少なくとも１つのＤＲＢは、前記第１のＭＡＣインスタンスおよび前記第２のＭＡＣインスタンスの間で分けられる論理チャネルにマッピングされることを特徴とする請求項１１に記載のＷＴＲＵ。
【請求項１８】
前記プロセッサは、前記第２のＭＡＣインスタンスへの接続をアクティブ化することに基づいて、前記第１のＭＡＣインスタンスに関連付けられた少なくとも１つのベアラを非アクティブ化するように構成されることを特徴とする請求項１１に記載のＷＴＲＵ。
【請求項１９】
前記プロセッサは、前記第２のＭＡＣインスタンスに関連付けられた少なくとも１つのセルを測定し、および、前記測定に基づいて前記少なくとも１つのセルを自立的にアクティブ化することを決定するようにさらに構成されることを特徴とする請求項１１に記載のＷＴＲＵ。
【請求項２０】
前記プロセッサは、少なくともランダムアクセスチャネル（ＲＡＣＨ）プロシージャを使用して、前記第２のＭＡＣインスタンスに関連付けられた前記１つまたは複数のセルをアクティブ化するように構成されることを特徴とする請求項１１に記載のＷＴＲＵ。